(57)【要約】      （修正有）【課題】エレベーターシャフト等のシャフトが揺れ動き、周囲の目地部が変化しても床目地部や両側の壁目地部に隙間が生じるのを阻止する。【解決手段】エレベーターシャフト等のシャフト５の開口部６の壁面に水平方向に取付けられた一対のガイドレール７と、両側部が建物の空間部を形成する壁面に前後方向にスライド移動可能に当接する目地パネル支持枠１０と、シャフトの開口部の前方の床目地部を覆う床目地パネル１２と、シャフトの両側部の壁目地部を覆うように固定された固定壁目地パネル１３と、この固定壁目地パネルと重なり合い、かつ中央部方向へスライド移動できるように目地パネル支持枠１０に取付けられた可動壁目地パネル１６と、シャフトの両側部の壁目地部が広くなるように揺れると、該部位の可動壁目地パネルをスライド移動させて壁目地部を覆う可動壁目地パネル作動機構２０とでエレベーターシャフト等の目地装置１を構成する。【選択図】図１
2005155124.tif 000002
【特許請求の範囲】
【請求項１】
建物に形成されたエレベーターシャフト等のシャフトの空間部内に目地部を介して設けられたエレベーターシャフト等のシャフトの開口部の上下部の壁面にほぼ水平方向に位置するように取付けられた一対のガイドレールと、この一対のガイドレールに水平方向にスライド移動可能に取付けられた両側部が前記建物の空間部を形成する壁面に前後方向にスライド移動可能に当接する目地パネル支持枠と、この目地パネル支持枠の下部部材に後端部が固定され、先端部が前記シャフトの開口部と対応する部位の建物の床面にスライド移動可能に支持される、該シャフトの開口部の前方の床目地部を覆う床目地パネルと、前記目地パネル支持枠の両側部に前記シャフトの両側部の壁目地部を覆うように固定された一対の固定壁目地パネルと、この一対の固定壁目地パネルと重なり合い、かつ中央部方向へスライド移動できるように前記目地パネル支持枠に取付けられた一対の可動壁目地パネルと、前記シャフトの両側部の壁目地部の一方が広くなるように揺れ動くと、該部位の可動壁目地パネルをスライド移動させて壁目地部を覆う一対の可動壁目地パネル作動機構とからなることを特徴とするエレベーターシャフト等の目地装置。
【請求項２】
建物に形成されたエレベーターシャフト等のシャフトの空間部内に目地部を介して設けられたエレベーターシャフト等のシャフトの開口部の上下部の壁面にほぼ水平方向に位置するように取付けられた一対のガイドレールと、この一対のガイドレールに水平方向にスライド移動可能に取付けられた両側部が前記建物の空間部を形成する壁面にローラーを介して前後方向にスライド移動可能な目地パネル支持枠と、この目地パネル支持枠の下部部材に後端部が固定され、先端部が前記シャフトの開口部と対応する部位の建物の床面にスライド移動可能に支持される、該シャフトの開口部の前方の床目地部を覆う床目地パネルと、この床目地パネルの建物の床面に位置する部位をスライド移動可能に覆うカバープレートと、前記目地パネル支持枠の両側部に前記シャフトの両側部の壁目地部を覆うように固定された一対の固定壁目地パネルと、この一対の固定壁目地パネルと重なり合い、かつ中央部方向へスライド移動できるように前記目地パネル支持枠あるいは該一対の固定壁目地パネルに取付けられた一対の可動壁目地パネルと、この一対の可動壁目地パネルを前記壁目地部が広くなると、該壁目地部を覆うようにスライド移動させる一対の可動壁目地パネル作動機構とからなることを特徴とするエレベーターシャフト等の目地装置。
【請求項３】
目地パネル支持枠あるいは一対の固定壁目地パネルには建物の空間部を形成する両壁面に沿うように形成された一対のカバー体が設けられていることを特徴とする請求項１あるいは請求項２記載のエレベーターシャフト等の目地装置。
【発明の詳細な説明】
【技術分野】
【０００１】
本発明は建物に形成されたエレベーターシャフトや階段室等のシャフトの空間部内に目地部を介して設けられたシャフトの開口部側の目地部を覆うエレベーターシャフト等の目地装置に関する。
【背景技術】
【０００２】
従来、エレベーターシャフトの目地装置はエレベーターシャフトの開口部の前方の床目地部を覆う床目地装置と、エレベーターシャフトの開口部側の両側部の躯体に一端部が取付けられ、他端部が建物のエレベーターシャフトの空間部を形成する両壁面に取付けられた伸縮可能な一対の壁用目地装置とで構成している。
【０００３】
このような従来のエレベーターシャフトの目地装置は、エレベーターシャフトの開口部側が前方へ大きく揺れ動いた場合、一対の壁用目地装置がハの字状に回動するため、両端部の床目地プレートとの間に三角形状の隙間が生じ、危険になるという欠点があった。
また、一対の壁用目地装置は伸縮可能で、かつ前後方向の移動に追従できるものでなければならず、構造が複雑で、コスト高になるという欠点があった。
【特許文献１】特になし
【発明の開示】
【発明が解決しようとする課題】
【０００４】
本発明は以上のような従来の欠点に鑑み、エレベーターシャフト等のシャフトが揺れ動き、周囲の目地部の寸法が変化しても床目地部や両側の壁目地部に隙間が生じるのを確実に阻止することができるとともに、構造が簡単で、容易で安価に設置することができる。エレベーターシャフト等の目地装置を提供することを目的としている。                
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は建物に形成されたエレベーターシャフト等のシャフトの空間部内に目地部を介して設けられたエレベーターシャフト等のシャフトの開口部の上下部の壁面にほぼ水平方向に位置するように取付けられた一対のガイドレールと、この一対のガイドレールに水平方向にスライド移動可能に取付けられた両側部が前記建物の空間部を形成する壁面に前後方向にスライド移動可能に当接する目地パネル支持枠と、この目地パネル支持枠の下部部材に後端部が固定され、先端部が前記シャフトの開口部と対応する部位の建物の床面にスライド移動可能に支持される、該シャフトの開口部の前方の床目地部を覆う床目地パネルと、前記目地パネル支持枠の両側部に前記シャフトの両側部の壁目地部を覆うように固定された一対の固定壁目地パネルと、この一対の固定壁目地パネルと重なり合い、かつ中央部方向へスライド移動できるように前記目地パネル支持枠に取付けられた一対の可動壁目地パネルと、前記シャフトの両側部の壁目地部の一方が広くなるように揺れ動くと、該部位の可動壁目地パネルをスライド移動させて壁目地部を覆う一対の可動壁目地パネル作動機構とでエレベーターシャフト等の目地装置を構成している。
【発明の効果】
【０００７】
以上の説明から明らかなように、本発明にあっては次に列挙する効果が得られる。
【０００８】
（１）目地パネル支持枠に床用目地パネルと一対の固定壁目地パネル、一対の可動壁目地パネルを取付けているので、シャフトの周囲の目地部が変化するように揺れ動いても、従来のように隙間が生じて危険になるのを確実に阻止することができる。
したがって、安全に使用することができる。
【０００９】
（２）前記（１）によって、一対の可動壁目地パネルを目地パネル支持枠あるいは一対の固定壁目地パネルにスライド移動可能に取付けるだけでよいので、構造が簡単で、安価に設置することができる。
【００１０】
（３）前記（１）によって、免震ビル等の大きな揺れ動きを吸収する部位にでも容易に設置することができる。
【００１１】
（４）請求項２も前記（１）〜（３）と同様な効果が得られる。
【００１２】
（５）請求項３も前記（１）〜（３）と同様な効果が得られるとともに、シャフトの開口部側と建物のシャフトの空間部を形成し、両側壁の端部との間の寸法が小さくても簡単に取付けることができる一対のカバー体によって、隙間が生じるのを確実に阻止することができる。
【発明を実施するための最良の形態】
【００１３】
以下、図面に示す本発明を実施するための最良の形態により、本発明を詳細に説明する。
【００１４】
図１ないし図９に示す本発明を実施するための最良の第１の形態において、１は免震ビル等の建物２に形成された階段室やエレベーターシャフト等のシャフト空間部３内に目地部４を介して設けられたシャフト５の開口部６側を伸縮可能に覆う本発明のエレベーターシャフト等の目地装置で、このエレベーターシャフト等の目地装置１は前記シャフト５の開口部６の上下部の躯体５ａにほぼ水平方向に位置するように取付けられた一対のガイドレール７、７と、この一対のガイドレール７、７に水平方向にスライド移動可能に取付けられた下部に複数個のローラー８が取付けられ、両側部が前記建物２のシャフト空間部３を形成する壁面２ａ、２ａに前後方向にスライド移動できる複数個のローラー９、９を介して当接する目地パネル支持枠１０と、この目地パネル支持枠１０の下部部材１０ａに後端部が固定され、先端部が前記シャフト５の開口部６と対応する部位の建物２の床面１１にスライド移動可能に支持される、該シャフト５の開口部６の前方の床目地部４ａを覆う床目地パネル１２と、前記目地パネル支持枠１０の両側部に前記シャフト５の両側部の壁目地部４ｂ、４ｂを覆うように固定された一対の固定壁目地パネル１３、１３と、この一対の固定壁目地パネル１３、１３と重なり合い、かつ中央部方向へスライド移動できるように、該一対の固定壁目地パネル１３、１３の背面の上下部寄りの部位にほぼ水平方向に形成された凹部状のガイドレール１４、１４、１４、１４にガイドされて移動する複数個のガイドローラー１５、１５、１５、１５が取付けられた一対の可動壁目地パネル１６、１６と、前記シャフト５の両側部の壁目地部４ｂ、４ｂの一方が広くなるように地震等によって揺れ動くと、該部位の可動壁目地パネル１６、１６をスライド移動させて壁目地部４ｂ、４ｂを覆う前記可動壁目地パネル１６、１６の背面ほぼ中央部に水平方向に取付けられたガイドレール１７、１７、このガイドレール１７、１７に沿ってスライド移動する前記シャフト５の両側躯体５ｂ、５ｂに固定された作動片１８、１８、この作動片１８、１８と中央部寄りの前記ガイドレール１７、１７の端部壁１７ａ、１７ａとの間に介装された復帰用スプリング１９、１９とからなる一対の可動壁目地パネル作動機構２０、２０とで構成されている。
【００１５】
上記構成のエレベーターシャフト等の目地装置１はシャフト５の開口部６が形成された部位の床目地部６ａが地震等によって広くなったり、狭くなるように揺れ動いた場合には、図８に示すように目地パネル支持枠１０がシャフト空間部３を形成する壁面２ａ、２ａを前後方向にスライド移動するとともに、該目地パネル支持枠１０に固定された床目地パネル１２の先端部が建物２の床面１１上をスライド移動して、その揺れ動きを吸収することができる。
【００１６】
シャフト５が左右の壁目地部４ｂ、４ｂが地震等によって広くなるように揺れ動いた場合には、図９に示すように目地パネル支持枠１０が一対のガイドレール７、７によって左右方向にスライド移動し、壁目地部４ｂ、４ｂの目地部が広くなる方の可動壁目地パネル１６は一対の可動壁目地パネル作動機構２０、２０のシャフト５の躯体５ｂ、５ｂに固定された作動片１８、１８がガイドレール１７、１７の端部を復帰用スプリング１９、１９を介して中央部方向へスライド移動させ、壁部分に隙間が生じるのを阻止するように可動壁目地パネル１６、１６をスライド移動させて、その揺れ動きを吸収する。
揺れ動きが停止した場合には一対の可動壁目地パネル作動機構２０、２０の復帰用スプリング１９、１９の付勢力によって、一対の可動壁目地パネル１６、１６を元の状態に自動的に戻すことができる。
[発明を実施するための異なる形態]
【００１７】
次に、図１０ないし図２２に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１８】
図１０ないし図１２に示す本発明を実施するための第２の形態において、前記本発明を実施するための最良の第１の形態と主に異なる点は、一対の可動壁目地パネル１６Ａ、１６Ａを目地パネル支持枠１０Ａに形成された可動壁目地パネルスライド凹部２１、２１内をスライド移動できるようにした点で、このように引き戸状に設置した一対の可動壁目地パネル１６Ａ、１６Ａを用いて構成したエレベーターシャフト等の目地装置１Ａにしても、前記本発明を実施するための最良の第１の形態と同様な作用効果が得られる。
【００１９】
図１３ないし図１５に示す本発明を実施するための第３の形態において、前記本発明を実施するための最良の第１の形態と主に異なる点は、床目地パネル１２がスライド移動する凹部２２を建物２の床面１１に形成するとともに、該凹部２２を床目地パネル１２がスライド移動できるようにカバープレート２３で覆った点で、このように構成したエレベーターシャフト等の目地装置１Ｂにしても、前記本発明を実施するための最良の第１の形態と同様な作用効果が得られる。
【００２０】
図１６ないし図１８に示す本発明を実施するための第４の形態において、前記本発明を実施するための最良の第１の形態と主に異なる点は、建物２の床面１１側の壁面２ｃ、２ｃとシャフト５の開口部６側の躯体５ａとの間の寸法が小さい部分に設置された目地パネル支持枠１０の両側部にシャフト５が前方に移動した場合に両側部に隙間が生じるのを阻止する一対のカバー体２４、２４を固定した点で、このような一対のカバー体２４、２４を用いて構成したエレベーターシャフト等の目地装置１Ｃにしても、前記本発明を実施するための最良の第１の形態と同様な作用効果が得られる。
【００２１】
図１９ないし図２２に示す本発明を実施するための第５の形態において、前記本発明を実施するための第４の形態と主に異なる点は、一対のカバー体２４、２４を一対の固定壁目地パネル１３、１３と一体あるいは固定的に取付けた点で、このようの構成したエレベーターシャフト等の目地装置１Ｄにしても、前記本発明を実施するための第４の形態と同様な作用効果が得られる。
【００２２】
なお、前記本発明を実施する第４、第５の形態では一対のカバー体を伸縮可能な少なくとも２枚以上のスライドカバーを用いて構成したものを用いてもよい。
【産業上の利用可能性】
【００２３】
本発明はエレベーターシャフト等の目地装置を製造する産業、および設置する産業で利用される。
【図面の簡単な説明】
【００２４】
【図１】本発明を実施するための最良の第１の形態の横断面図。
【図２】本発明を実施するための最良の第１の形態の縦断面図。
【図３】本発明を実施するための最良の第１の形態の一部破断正面図。
【図４】本発明を実施するための最良の第１の形態の目地パネル支持枠の取付け状態の説明図。
【図５】本発明を実施するための最良の第１の形態の固定壁目地パネルの説明図。
【図６】本発明を実施するための最良の第１の形態の可動壁目地パネルの説明図。
【図７】本発明を実施するための最良の第１の形態の可動壁目地パネル作動機構の説明図。
【図８】本発明を実施するための最良の第１の形態の前後方向の動作説明図。
【図９】本発明を実施するための最良の第１の形態の左右方向の動作説明図。
【図１０】本発明を実施するための第２の形態の横断面図。
【図１１】本発明を実施するための第２の形態の縦断面図。
【図１２】本発明を実施するための第２の形態の可動壁目地パネルの取付け状態の説明図。
【図１３】本発明を実施するための第３の形態の横断面図。
【図１４】本発明を実施するための第３の形態の縦断面図。
【図１５】本発明を実施するための第３の形態の前後方向の動作説明図。
【図１６】本発明を実施するための第４の形態の横断面図。
【図１７】本発明を実施するための第４の形態の縦断面図。
【図１８】本発明を実施するための第４の形態の前後方向の動作説明図。
【図１９】本発明を実施するための第５の形態の横断面図。
【図２０】本発明を実施するための第５の形態の縦断面図。
【図２１】本発明を実施するための第５の形態のカバー体の取付け状態を示す説明図。
【図２２】本発明を実施するための第５の形態の前後方向の動作説明図。
【符号の説明】
【００２５】
１、１Ａ、１Ｂ、１Ｃ、１Ｄ：エレベーターシャフト等の目地装置、
２：建物、                    ３：シャフト空間部、
４：目地部、                  ５：シャフト、
６：開口部、                  ７：ガイドレール、
８：ローラー、                ９：ローラー、
１０、１０Ａ：目地パネル支持枠、
１１：床面、                  １２：床目地パネル、
１３：固定壁目地パネル、      １４：ガイドレール、
１５：ガイドローラー、
１６、１６Ａ：可動壁目地パネル、
１７：ガイドレール、          １８：作動片、
１９：復帰用スプリング、
２０：可動壁目地パネル作動機構、
２１：可動壁目地パネルスライド凹部、
２２：凹部、                  ２３：カバープレート、
２４：カバー体。
【図１】
2005155124.tif 000003
【図２】
2005155124.tif 000004
【図３】
2005155124.tif 000005
【図４】
2005155124.tif 000006
【図５】
2005155124.tif 000007
【図６】
2005155124.tif 000008
【図７】
2005155124.tif 000009
【図８】
2005155124.tif 000010
【図９】
2005155124.tif 000011
【図１０】
2005155124.tif 000012
【図１１】
2005155124.tif 000013
【図１２】
2005155124.tif 000014
【図１３】
2005155124.tif 000015
【図１４】
2005155124.tif 000016
【図１５】
2005155124.tif 000017
【図１６】
2005155124.tif 000018
【図１７】
2005155124.tif 000019
【図１８】
2005155124.tif 000020
【図１９】
2005155124.tif 000021
【図２０】
2005155124.tif 000022
【図２１】
2005155124.tif 000023
【図２２】
2005155124.tif 000024